(57)【要約】開示された実施形態は、ページングチャネルを監視するための方法およびシステムを提供する。１つの観点において、ページングチャネルを監視する方法は、スケジュールされたページングスロットにおいてページメッセージのためのページングチャネルを監視することと、所定のページングスロットにおいてエラーが生じたことを決定することと、少なくとも１つのスケジュールされた再ページングスロットにおいて再ページメッセージのためのページングチャネルを監視することであって、前記再ページングスロットは前記所定のページスロットの後であってかつ次のスケジュールされたページングスロットの前であることとを含む。他の観点において、ページングチャネルを監視する方法は、スケジュールされたページングスロットにおいてページメッセージのための複数のページングチャネルの第１のページングチャネルを監視することと、所定のページングスロットにおいてエラーが生じたことを決定することと、前記ページメッセージのための前記複数のページングチャネルの少なくとも第２のページングチャネルを監視することとを含む。
2008526140.tif 000002
【特許請求の範囲】
【請求項１】
ページングチャネルを監視するための方法において、
スケジュールされたページングスロットにおいてページメッセージのためのページングチャネルを監視することと、
所定のページングスロットにおいてエラーが生じたことを決定することと、
少なくとも１つの再ページングスロットにおいて再ページのためのページングチャネルを監視することであって、前記少なくとも１つの再ページングスロットは、前記所定のページングスロットの後でかつ前記次のスケジュールされたページングスロットの前に生じることと、
を備えた方法。
【請求項２】
前記再ページメッセージは前記エラーを検出することに基いて通信される、請求項１の方法。
【請求項３】
前記エラーは、前記ページメッセージが前記所定のページングスロットにおいて成功裏に受信されなかったことを示す、請求項２の方法。
【請求項４】
目標アクセス端末（ＡＴ）をページングするための方法において、
スケジュールされたページングスロットにおいて目標アクセス端末（ＡＴ）に向けられたページメッセージを送信することと、
所定のページングスロットにおいてエラーが検出されたならスケジュールされた再ページングスロットにおいて前記目標ＡＴに向けられた再ページメッセージを送信することであって、前記再ページングスロットは前記所定のページングスロットの後でありかつ前記次のスケジュールされたページングスロットの前であることと、
を備えた方法。
【請求項５】
前記ＡＴが成功裏に前記ページメッセージを監視したという応答が受信されないとき、前記エラーが検出される、請求項４の方法。
【請求項６】
ページングチャネルを監視する方法において、
スケジュールされたページングスロットにおいてページメッセージのための複数のページングチャネルの第１のページングチャネルを監視することと、
所定のページングスロットにおいてエラーが生じたことを決定することと、
前記ページメッセージのための前記複数のページングチャネルの少なくとも第２のページングチャネルを監視することと、
を備えた方法。
【請求項７】
前記複数のページングチャネルは時間が同期されている、請求項６の方法。
【請求項８】
前記複数のページングチャネルは時間が同期されておらず、ページメッセージの次の監視は前記第２チャネル上の次のスケジュールされたページングスロットにおいて生じる、請求項６の方法。
【請求項９】
ページングチャネルを監視するための方法を実施する手段を具現化するコンピュータ読み取り可能媒体において、前記方法は、
スケジュールされたページングスロットにおいてページメッセージのためのページングチャネルを監視することと、
所定のページングスロットにおいてエラーが生じたことを決定することと、
少なくとも１つのスケジュールされた再ページングスロットにおいて再ページメッセージのための前記ページングチャネルを監視することであって、前記少なくとも１つの再ページングスロットは、前記所定のページングスロットの後でかつ前記次のスケジュールされたページングスロットの前に生じることと、
を備えたコンピューター読み取り可能媒体。
【請求項１０】
前記再ページメッセージは前記エラーを検出することに基いて通信される、請求項９の媒体。
【請求項１１】
前記エラーは、前記ページメッセージが前記所定のページングスロットにおいて成功裏に受信されなかったことを示す、請求項１０の媒体。
【請求項１２】
目標アクセス端末（ＡＴ）をページングするための方法を実施するための手段を具現化するコンピューター読み取り可能媒体において、前記方法は、
スケジュールされたページングスロットにおいて目標アクセス端末（ＡＴ）に向けられたページメッセージを送信することと、
所定のページングスロットにおいてエラーが検出されたなら、スケジュールされた再ページングスロットにおいて前記目標ＡＴに向けられた再ページメッセージを送信することであって、前記再ページングスロットは前記所定のページングスロットの前でありかつ前記次のスケジュールされたページングスロットの前であることと、
を備えたコンピューター読み取り可能媒体。
【請求項１３】
前記エラーは、前記ＡＴが成功裏に前記ページメッセージを監視したという応答が受信されないとき検出される、請求項１２の媒体。
【請求項１４】
ページングチャネルを監視する方法を実施する手段を具現化するコンピューター読み取り可能媒体において、前記方法は、
スケジュールされたページングスロットにおいてページメッセージのための複数のページングチャネルの第１のページングチャネルを監視することと、
所定のページングスロットにおいてエラーが生じたことを決定することと、
前記ページメッセージのための前記複数のページングチャネルの少なくとも第２のページングチャネルを監視することと
を備えた方法。
【請求項１５】
前記複数のページングチャネルは時間が同期している、請求項１４の媒体。
【請求項１６】
前記複数のページングチャネルは時間が同期しておらず、ページメッセージの次の監視は前記第２のチャネル上の次のスケジュールされたページングスロットにおいて生じる、請求項１４の媒体。
【請求項１７】
ページングチャネルを監視するための装置において、
スケジュールされたページングスロットにおいてページメッセージのためのページングチャネルを監視する手段と、
所定のページングスロットにおいてエラーが生じたことを決定する手段と、
少なくとも１つのスケジュールされた再ページングスロットにおいて再ページメッセージのための前記ページングチャネルを監視する手段であって、前記少なくとも１つの再ページングスロットは、前記所定のページングスロットの後であり、かつ前記次のスケジュールされたページングスロットの前である、手段と、
を備えた装置。
【請求項１８】
前記再ページメッセージは前記エラーを検出することに基いて通信される、請求項１７の装置。
【請求項１９】
前記エラーは、前記ページメッセージが前記所定のページングスロットにおいて成功裏に受信されなかったことを示す、請求項１８の装置。
【請求項２０】
目標アクセス端末（ＡＴ）をページングするための装置において、
スケジュールされたページングスロットにおいて目標アクセス端末（ＡＴ）に向けられたページメッセージを送信する手段と、
所定のページングスロットにおいてエラーが検出されるなら、スケジュールされた再ページングスロットにおいて前記目標ＡＴに向けられた再ページメッセージを送信する手段であって、前記再ページングスロットは前記所定のページングスロットの後でありかつ前記次のスケジュールされたページングスロットの前である、手段と
を備えた装置。
【請求項２１】
前記エラーは、前記ＡＴが前記ページメッセージを成功裏に監視したという応答を受信しなかったとき検出される、請求項２０の装置。
【請求項２２】
ページングチャネルを監視するための装置において、
スケジュールされたページングスロットにおいてページメッセージのための複数のページングチャネルの第１のページングチャネルを監視する手段と、
所定のページングスロットにおいてエラーが生じたことを決定する手段と、
前記ページメッセージのための前記複数のページングチャネルの少なくとも第２ページングチャネルを監視する手段と、
を備えた装置。
【請求項２３】
前記複数のページングチャネルが時間が同期されている、請求項２２の装置。
【請求項２４】
前記複数のページングチャネルは時間が同期されておらず、ページメッセージの次の監視は前記第２のチャネル上の次のスケジュールされたページングスロットにおいて生じる、請求項２２の装置。
【請求項２５】
ページングチャネルを監視するための方法を実施するように構成された少なくとも１つのプロセッサーにおいて、前記方法は、
スケジュールされたページングスロットにおいてページメッセージのためのページングチャネルを監視することと、
所定のページングスロットにおいてエラーが生じたことを決定することと、
少なくとも１つのスケジュールされた再ページングスロットにおいて再ページメッセージのための前記ページングチャネルを監視することであって、前記少なくとも１つの再ページングスロットは前記所定のページングスロットの後でありかつ前記次のスケジュールさあれたページングスロットの前であることと、
を備えた、少なくとも１つのプロセッサー。
【請求項２６】
前記再ページメッセージは前記エラーを検出することに基いて通信される、請求項２５のプロセッサー。
【請求項２７】
前記エラーは、前記ページメッセージが前記所定のページングスロットにおいて成功裏に受信されなかったことを示す、請求項２６のプロセッサー。
【請求項２８】
目標アクセス端末（ＡＴ）をページングするための方法を実施するように構成された少なくとも１つのプロセッサーにおいて、前記方法は、
スケジュールされたページングスロットにおいて目標アクセス端末（ＡＴ）に向けられたページメッセージを送信することと、
所定のページングスロットにおいてエラーが検出されたなら、スケジュールされた再ページングスロットにおいて前記目標ＡＴに向けられた再ページメッセージを送信することであって、前記再ページングスロットは、前記所定のページングスロットの後であってかつ前記次のスケジュールされたページングスロットの前であることと、
を備えた少なくとも１つのプロセッサー。
【請求項２９】
前記エラーは、前記ＡＴが前記ページメッセージを成功裏に監視したという応答を受信しないとき検出される、請求項２８のプロセッサー。
【請求項３０】
ページングチャネルを監視する方法を実施するように構成された少なくとも１つのプロセッサーにおいて、前記方法は、
スケジュールされたページングスロットにおいてページメッセージのための複数のページングチャネルの第１のページングチャネルを監視することと、
所定のページングスロットにおいてエラーが生じたことを決定することと、
前記ページメッセージのための前記複数のページングチャネルの少なくとも第２のページングチャネルを監視することと、
を備えた、少なくとも１つのプロセッサー。
【請求項３１】
前記複数のページングチャネルは時間が同期している、請求項３０のプロセッサー。
【請求項３２】
前記複数のページングチャネルは時間が同期しておらず、ページメッセージの次の監視は、前記第２のチャネル上の次のスケジュールされたページングスロットにおいて生じる、請求項３０のプロセッサー。
【発明の詳細な説明】
【技術分野】
【０００１】
この発明は一般に通信に関し、特に無線通信システムにおいてページングメッセージを効率的にページングし監視するための方法および装置に関する。
【背景技術】
【０００２】
通信システムは、音声、パケットデータ等のような種々の通信サービスを提供するために広範囲に展開される。これらのシステムは利用可能なシステムリソースを共有することにより同時に複数のユーザーとの通信をサポートすることができる時分割多重アクセスシステム、周波数分割多重アクセスシステムおよび／または符号分割多重アクセスシステムであってもよい。そのような多重アクセスシステムの例は、符号分割多重アクセス（ＣＤＭＡ）システム、マルチキャリアＣＤＭＡ（ＭＣ-ＣＤＭＡ）、広帯域ＣＤＭＡ（Ｗ-ＣＤＭＡ）、高速ダウンリンクパケットアクセス（ＨＳＤＰＡ）、時分割多重アクセス（ＴＤＭＡ）システム、周波数分割多重アクセス（ＦＤＭＡ）システム、直交周波数分割多重アクセス（ＯＦＤＭＡ）システムを含む。
【０００３】
それゆえ、無線通信システムにおいてページングメッセージを効率的にページングおよび監視するための方法および装置の技術的必要性がある。
【発明の開示】
【０００４】
開示された実施形態はページングチャネルを監視する方法およびシステムを提供する。１つの観点において、ページングチャネルを監視する方法は、スケジュールされたページングスロットにおいてページメッセージのためのページングチャネルを監視することと、所定のページングスロットにおいてエラーが生じたことを決定することと、少なくとも１つのスケジュールされた再ページングスロットにおいて再ページメッセージのためのページングチャネルを監視することを含み、再ページングスロットは所定のページングスロットの後であるが、次のスケジュールされたページングスロットの前に生じる。他の観点において、ページングチャネルを監視するための方法は、スケジュールされたページングスロットにおいてページメッセージのための複数のページングチャネルの第１のページングチャネルを監視することと、所定のページングスロットにおいてエラーが生じたと決定することと、ページメッセージのための複数のページングチャネルの少なくとも第２のページングチャネルを監視することとを含む。
【発明を実施するための最良の形態】
【０００５】
本発明の特徴、性質及び利点は、類似による参照文字が相応して、全体で特定する図面と関連して解釈されるときに後述される詳細な説明からさらに明らかになるであろう。
【０００６】
「例示」という単語は、ここでは、「例、インスタンス、または例証として機能する」ことを意味するために使用される。ここに記載された任意の実施形態または設計は「例示」であり、必ずしも他の実施形態または設計に対して好適であるとかまたは利点があるとして解釈されるべきでない。
【０００７】
「アクセス端末」はユーザーに対して音声および／またはデータ接続性を供給する装置を指す。アクセス端末は、ラップトップコンピューターまたはデスクトップコンピューターのような計算装置に接続されていてもよいし、またはアクセス端末はパーソナルデジタルアシスタントのような内蔵型の装置であってもよい。また、アクセス端末は加入者ユニット、移動局、モバイル、遠隔局、遠隔端末、ユーザー端末、ユーザーエージェントまたはユーザー機器と呼ぶことができる。アクセス端末は、加入者局、無線装置、セルラー電話、ＰＣＳ電話、コードレス電話、セッションイニシエーションプロトコル（ＳＩＰ）電話、無線ローカルループ（ＷＬＬ）局、パーソナルデジタルアシスタント（ＰＤＡ）、無線接続能力を有するハンドヘルド装置、または無線モデムに接続された他の処理装置であってもよい。
【０００８】
「アクセスポイント」は、無線インターフェースを介して、１つ以上のセクターを介して、アクセス端末と通信するアクセスネットワーク内の装置を指す。アクセスポイントはアクセス端末とアクセスネットワークとの間のルーターとして機能する。アクセスネットワークは、受信した無線インターフェースフレームをＩＰパケットに変換することによりＩＰネットワークを含んでいてもよい。
【０００９】
また、アクセスポイントはエアーインターフェースのための属性の管理を調整する。
【００１０】
図１は無線通信ネットワークにおいてページングチャネルを監視する一実施形態を示す。一実施形態において、アイドルアクセス端末（ＡＴ）はスロット化されたページングモードで動作する。すなわち、ＡＴは規則的な間隔でページングチャネルを監視し、バッテリ電力を節約するためにスリープに戻る。１０２により示されるようにＡＴが成功裏にページングチャネルを受信し、ページングチャネル上のページを観察する場合に、ＡＴは、システムに接続するためにアクセスを試みる（すなわち、アイドルから接続された状態への遷移）。接続されたモードでデータを受信した後で、ＡＴは１０４に示されるようにスリープモードに再入力してもよい。しかしながら、ＡＴが成功裏にページングチャネルを受信するがページングチャネル上にページを観察しないなら、例えばページがアクセスネットワーク（ＡＮ）によりセットされないなら、ＡＴは１０６により示されるようにスリープモードに再入力してもよい。
【００１１】
用語
ＡＰ１:ＡＴが現在ページを監視しているアクセスポイント。
【００１２】
ＡＰ２:ＡＴが移動してもよいアクセスポイント。
【００１３】
ＡＡＰ:アンカーＡＰであり、ＡＴのセッションが位置しているＡＰであり、ページが発生されるＡＰである。ページはネットワークバックボーンを介してＡＰ１とＡＰ２に供給される。ＡＰ１とＡＰ２は、ＡＴがページングチャネルを監視することが知られているスロットで無線を介してページを送信する。
【００１４】
ＡＮ:すべてのＡＰｓとバックボーンインフラストラクチャからなるシステム
ページングスロット：ＡＴがページングチャネルを監視するためにウェークアップする時刻。これらの時刻はＡＴおよびＡＮに対して知られていてもよい。
【００１５】
再ページ:ＡＮが以前に送信したページに対する応答を受信しないとき、再び送信されるページ。
【００１６】
ページエラー:ＡＴがページングチャネルを読むことができなかったと決定するＡＴにおけるイベント、例えばページングチャネル上のＣＲＣエラーまたはその他のエラー。
【００１７】
ゾーンベースのページング：各ＡＰはそのページングゾーンＩＤを通知する。ページはあるＡＰｓを構成するページングゾーン内のすべてのＡＰｓから送信される。ページングゾーンはネットワークにより定義されバラバラであってもよいしそうでなくてもよい。
【００１８】
ＡＴが（ゾーンＩＤにより識別される）新しいページングゾーンに入るたびにＡＴは登録する。
【００１９】
距離をベースにした登録：各ＡＰ緯度と経度に関してその位置を通知し、また、その登録範囲を通知する。ＡＰが最後に登録したＡＰ（例えばＡＰ０）から離れた登録距離以上であるＡＰ（例えばＡＰ１）からＡＴがページを受信することを望むなら、ＡＴはＡＰ１に登録してもよい。ＡＴは、最後に登録したＡＰの登録距離内のすべてのＡＰｓからページが送信されるであろうＡＮによって保証される。
【００２０】
一実施形態において、ＡＮによりセットされたページはエラーによりＡＴにより換算されないかもしれない。ページエラーは下記を含むいくつかの理由によるかもしれない。
【００２１】
ＡＴは新しいＡＰに移動する：ＡＴがページングチャネルを監視するためにウェークアップした後で、ＡＴがアイドル状態にある間にＡＴがＡＰ１からＡＰ２に移動するなら、ＡＴはＡＰ１に対して不適切な長さを持つかもしれず、ＡＴがＡＰ２上のページを読むことを可能にするＡＰ２のパラメーターをまだ獲得していないかもしれない。この場合、ＡＴがウェークアップしＡＴがＡＰ２に移動したことを発見した後で、ＡＴはＡＴがＡＰ２のページングスロットを識別できる前にＡＰ２のタイミング情報をサーチしなければならないかもしれない。これは遅延を生じるかもしれず、この期間にいくつかのスケジュールされたページを紛失するかもしれない。この問題はＡＰ１とＡＰ２が時間同期していないとより深刻である。この場合ＡＰｓ間のタイミングスキューによりＡＰ２はＡＴが期待しているよりも早くにページを送信するかもしれない。この結果さらに多くのページを紛失させる。
【００２２】
フェージング:ＡＴはページングスロットの期間にＡＰからフォワードリンク上のフェージングを経験するかもしれない。
【００２３】
ページエラーは一般に１つ以上の以下の問題を生じるかもしれない。
【００２４】
待ち時間：紛失したページはＡＴの待ち時間を生じる。ＡＴは次のページングスロットを待たなければならないかもしれない。これはプッシュツートークタイプのアプリケーションのような低い待ち時間要件を有したアプリケーションに対して望ましくない遅延を生じるかもしれない。
【００２５】
ネットワーク負荷:ＡＴがページに対して応答しないなら、ＡＮは、ＡＴがページングエリア外部にいると推測するかもしれず、より大きなエリアで再ページするかもしれない。従って、ページエラーイベントが生じた時、ＡＮは不必要に大きなエリアでページするであろう。
【００２６】
一実施形態において、上述したように時間的に周期的に生じてもよいページングスロットに加えて、ＡＴとＡＮは１つ以上の高速再ページングスロットを定義し、各々はスケジュールされたページングスロットの後で時間期間を生じる。例えば、図１に示されるように、スケジュールされたページングスロット１２０は５秒離れており、一方、高速再ページングスロット１３０は各スケジュールされたページングスロットの後の各０．５秒であってもよい。一実施形態において、ページングスロット１２０の後であるが、以下のスケジュールされたページングスロットの前に２以上の再ページングスロットを生じてもよい。
【００２７】
モニタリング手続−再ページ
１０８により示されるように、ＡＴがスケジュールされたページングスロットでページ失敗を経験するなら、ＡＴは、再ページメッセージを監視するために、１１０により示されるように、少なくとも１つの以下の再ページングスロットにおいてウェークアップしてもよい。ＡＴがまだ再ページメッセージを読むことができないなら、ＡＴが成功裏に再ページメッセージを監視するまで、ＡＴはシーケンシャルにまたは別のやり方でより多くの再ページングスロットを監視してもよい。ＡＴがすべての再ページングスロットでページ失敗を経験するなら、ＡＴは次のスケジュールされたページングスロットを読むためにウェークアップする。しかしながら、ＡＴがページングスロットにおいて成功裏にページングチャネルを監視するなら、ＡＴは再ページングスロットに対してウェークアップしなくてもよい。
【００２８】
ページング手続−再ページ
図２はアクセス端末をページングするためのフロー図を示す。ＡＡＰは、２０６により示されるように、目標ＡＴに対して送信するために、２０２により示されるＡＰ１および／または２０４により示されるＡＰ２に対するページ要求を送信する。ＡＡＰが２１０により示されるように所定の時間期間に例えばページエラー２０８により、ＡＡＰがページングスロットに送信したページ要求に対してＡＴから応答を受信しないなら、ＡＡＰは再ページ要求２１２をＡＰ１および／またはＡＰ２に送信する。次に、ＡＰ１および／またはＡＰ２は２１４により示されるように、少なくとも１つの以下の再ページングスロットにおいてＡＴを再ページしてもよい。ＡＡＰが時間期間２１０内にページ要求に対する応答を受信するなら、ＡＡＰは再ページ要求を送信しない。
【００２９】
モニタリング手続−アクティブセット
一実施形態において、ＡＴは、例えばページメッセージを紛失する機会を低減するために、２以上のセル／セクターからのページを監視する。ＡＴはアクティブセットにおいてそのようなセル／セクターを維持してもよい。
【００３０】
同期ケース:図３はアクティブセット内のＡＰｓ上のページングスロットが同時に生じる一実施形態を示す。それゆえ、ＡＴの監視手続は、図１および２に関連して上述したように、ＡＴが唯一つのＡＰのみを監視しているケースと同一である。ＡＴはスケジュールされたページングスロットでウェークアップし、ページングチャネルを復調しようと試みる。ＡＴがページメッセージを成功裏に監視できないなら、ＡＴはアクティブセット内の他のＡＰｓの少なくとも１つからページングチャネルを復調しようと試みる。一実施形態において、ＡＴは両方の以下の条件が真であるならページが成功裏に受信されたとみなす。
【００３１】
少なくとも１つのＡＰからのページングチャネルは（例えば、ＣＲＣ一致を有して）成功裏に復調される。
【００３２】
成功裏にデコードされたページングチャネルの１つはＡＴのためのページを含む。
【００３３】
非同期ケース:図４はいくつかのまたはすべてのＡＰ上のページングスロットが異なる時間に生じる一実施例を示す。（最も早いタイミングスロットで）４０２により示されるようにＡＴは最初にＡＰ１のページングスロットの期間中にウェークアップする。ＡＴがページングチャネルを成功裏にデコードするなら、ＡＴは次のスケジュールされたページングスロット４０４まで待ち、現在のページングスロットに対してアクティブセット内の他のＡＰｓからページを読まなくてもよい。しかしながら、ＡＴがＡＰ１を成功裏にデコードしないなら、ＡＴは、４０６により示されるようにＡＰ２のページングスロットでウェークアップする。プロセスは、必要に応じてより多くのＡＰｓを監視続けてもよい。従って、ページングチャネルを効率的にデコードする機会を増加させる。一実施形態において、再ページメッセージを監視することと、２以上のページチャネルを監視することは結合されてもよい。
【００３４】
アクティブセットを維持するための一実施形態は、いくつかのまたはすべてのチャネル上の目標ＡＴのためのＡＮ送信ページを含む。従って、システムがゼロベースページングを使用しているなら、ＡＴは、ＡＴが現在いるページングゾーン内のＡＰｓにアクティブセットを制限してもよい。システムが距離ベースページングを使用するなら、ＡＴは、アクティブセット内のすべてのＡＰｓは以前の登録ロケーションの登録距離内にあるように登録してもよい。
【００３５】
図５は図１乃至図４に関連して上述した開示された実施形態を実施するためのアクセスポイント１１０ｘとアクセス端末１２０ｘのブロック図を示す。リバースリンクの場合、端末１２０ｘにおいて、送信機（ＴＸ）データプロセッサー５１４はデータバッファー５１２からトラヒックデータを受信し、選択されたコーディングおよび変調スキームに基いて各データパケットを処理する（例えば、エンコードし、インターリーブし、シンボルマップする）。データシンボルはデータのための変調シンボルであり、パイロットシンボルは（先験的に知られている）パイロットのための変調シンボルである。変調器５１６はデータシンボル、パイロットシンボル、およびおそらくはリバースリンクのためのシグナリングを受信し、システムにより指定されるＯＦＤＭ変調および／または他の処理を実行し、出力チップのストリームを提供する。送信機ユニット（ＴＭＴＲ）５１８は出力チップストリームの出力を処理し（例えば、アナログに変換し、フィルターし、増幅し、周波数アップコンバートする）、変調された信号を発生し、アンテナ５２０から送信される。
【００３６】
アクセスポイント１１０ｘにおいて、端末１２０ｘおよびアクセスポイント１１０ｘと通信している他の端末により送信された変調された信号はアンテナ５５２により受信される。受信機ユニット（ＲＣＶＲ）５５４はアンテナ５５２から受信した信号を処理し（例えば、条件付けしデジタル化する）受信されたサンプルを供給する。復調器（Ｄｅｍｏｄ）５５６は受信されたサンプルを処理し（例えば、復調し検出する）、検出されたデータシンボルを供給する。検出されたデータシンボルは、端末によりアクセスポイント１１０ｘに送信されたデータシンボルの雑音のある推定値である。受信（ＲＸ）データプロセッサー５５８は、各端末に対して検出されたデータシンボルを処理し（例えば、シンボルデマップし、デインターリーブし、デコードする）、その端末のためのデコードされたデータを供給する。
【００３７】
フォワードリンクの場合、アクセスポイント１１０ｘ、トラヒックデータはＴＸデータプロセッサー５６０により処理されデータシンボルを発生する。変調器５６２は、データシンボル、パイロットシンボル、フォワードリンクのためのシグナリングを受信し、ＯＦＤＭ変調および／または他の関連のある処理を実行し、出力チップストリームを供給する。これはさらに送信機ユニット５６４により条件付けされアンテナ５５２から送信される。フォワードリンクシグナリングはリバースリンクを介してアクセスポイント１１０ｘに送信しているすべての端末に対してコントローラー５７０により発生された電力制御コマンドを含んでいてもよい。端末１２０ｘにおいて、アクセスポイント１１０ｘにより送信された変調された信号はアンテナ５２０により受信され、受信機ユニット５２２により条件付けされデジタル化され、復調器５２４により処理され検出されたデータシンボルを得る。ＲＸデータプロセッサー５２６は検出されたデータシンボルを処理し、端末のためのデコードされたデータを供給し、フォワードリンクシグナリングを供給する。コントローラー５３０は電力制御コマンドを受信し、データ送信を制御し、リバースリンクを介してアクセスポイント１１０ｘに電力を送信する。コントローラー５３０および５７０はそれぞれ端末１２０ｘとアクセスポイント１１０ｘの動作を指示する。メモリユニット５３２および５７２は開示された実施形態を実施するためにそれぞれコントローラー５３０および５７０により使用されるプログラムコードおよびデータを記憶する。
【００３８】
開示された実施形態は、以下の技術の任意の１つまたは組み合わせに適用されてもよい。符号分割多重アクセス（ＣＤＭＡ）システム、マルチキャリアＣＤＭＡ（ＭＣ-ＣＤＭＡ）、ワイドバンドＣＤＭＡ（Ｗ−ＣＤＭＡ）、高速ダウンリンクパケットアクセス（ＨＳＤＰＡ）、時分割多重アクセス（ＴＤＭＡ）システム、周波数分割多重アクセス（ＦＤＭＡ）システム、および直交周波数分割多重アクセス（ＯＦＤＭＡ）システム。
【００３９】
ここに記載されたシグナリング送信技術は種々の手段により実施されてもよい。例えば、これらの技術は、ハードウエア、ソフトウエア、またはそれらの組み合わせにおいて実施されてもよい。ハードウエア実施の場合、シグナリングを処理する（例えば、圧縮するおよびエンコードする）ために使用される処理装置は、１つ以上の特定用途向け集積回路（ＡＳＩＣｓ）、デジタルシグナルプロセッサー（ＤＳＰｓ）、デジタルシグナル処理装置（ＤＳＰＤｓ）、プログラマブルロジックデバイス（ＰＬＤｓ）、フィールドプログラマブルゲートアレイ（ＦＰＧＡｓ）、プロセッサー、コントローラー、マイクロコントローラー、マイクロプロセッサー、ここに記載された機能を実行するように設計された他の電子装置またはそれらの組み合わせにおいて実施されてもよい。シグナリングをデコードし解凍するために使用される処理装置はまた１つ以上のＡＳＩＣｓ、ＤＳＰｓ等において実施されてもよい。
【００４０】
ソフトウエア実施の場合、シグナリング送信技術は、ここに記載された機能を実行するモジュール（例えば、手続、機能等）を用いて実施されてもよい。ソフトウエアコードは、メモリユニット（例えば、図５のメモリユニット５３２または５７２）に記憶されてもよく、プロセッサー（例えば、コントローラー５３０または５７０）により実行されてもよい。メモリユニットは、プロセッサー内部またはプロセッサー外部において実施されてもよい。
【００４１】
開示された実施形態の以前の記述は当業者がこの発明を製作または使用可能にするために提供される。これらの実施形態に対する種々の変更は、当業者には容易に明白であり、ここに定義される包括的原理はこの発明の精神または範囲から逸脱せずに他の実施形態に適用されてもよい。従って、この発明は、ここに示される実施形態に限定されることを意図したものではなく、ここに開示された原理および新規な特徴と一致する最も広い範囲が許容されるべきである。
【図面の簡単な説明】
【００４２】
【図１】図１は通信ネットワークにおいてページングチャネルを監視するための一実施形態を示す。
【図２】図２はページングプロセスのためのフロー図を示す。
【図３】図３はマルチチャネルページングのための１つのシナリオを示す。
【図４】図４はマルチチャネルページングのための他のシナリオを示す。
【図５】図５はアクセスポイントおよびアクセス端末のブロック図を示す。
【図１】
2008526140.tif 000003
【図２】
2008526140.tif 000004
【図３】
2008526140.tif 000005
【図４】
2008526140.tif 000006
【図５】
2008526140.tif 000007
【国際調査報告】
2008526140.tif 000008
2008526140.tif 000009
2008526140.tif 000010